(57)【要約】【課題】処置具起上片を遠隔操作するための起上片操作ワイヤが挿通されたガイド管の基端位置を、操作部に対して容易に調整及び再調整して組み付けることができる作業性のよい内視鏡の処置具起上装置を提供すること。【解決手段】ガイド管８の基端部分に固着したストッパ筒体２２の外周面に、操作部４に固定的に配置されたストッパ座２１に対して係脱させることができる複数の周方向溝２２ａを軸線方向に互いの間隔をあけて形成し、ストッパ座２１に対して係合させる周方向溝２２ａを選択することにより、操作部４に対するガイド管８の基端部の固定位置を調整することができるようにした。【選択図】      図１
2006020884.tif 000002
【特許請求の範囲】
【請求項１】
挿入部の先端に配置された処置具起上片を上記挿入部の基端に連結された操作部から遠隔操作するための起上片操作ワイヤが、上記挿入部内に全長にわたって挿通配置されたガイド管内に軸線方向に進退自在に挿通された内視鏡の処置具起上装置において、
上記ガイド管の基端部分に固着したストッパ筒体の外周面に、上記操作部に固定的に配置されたストッパ座に対して係脱させることができる複数の周方向溝を軸線方向に互いの間隔をあけて形成し、上記ストッパ座に対して係合させる上記周方向溝を選択することにより、上記操作部に対する上記ガイド管の基端部の固定位置を調整することができるようにしたことを特徴とする内視鏡の処置具起上装置。
【請求項２】
上記ストッパ筒体の周方向溝に係脱する上記ストッパ座側の係合部分が略Ｕ字状のフォーク状に形成されていて、その開放部側から上記ストッパ筒体の周方向溝を係脱させることができる請求項１記載の内視鏡の処置具起上装置。
【請求項３】
上記周方向溝が上記ストッパ筒体の全周にわたって形成されている請求項１又は２記載の内視鏡の処置具起上装置。
【発明の詳細な説明】
【技術分野】
【０００１】
この発明は内視鏡の処置具起上装置に関する。
【背景技術】
【０００２】
内視鏡の処置具起上装置においては一般に、挿入部の先端に配置された処置具起上片を挿入部の基端に連結された操作部から遠隔操作するための起上片操作ワイヤが、挿入部内に全長にわたって挿通配置されたガイド管内に軸線方向に進退自在に挿通されている。
【０００３】
そのようなガイド管としては一般に密着巻きコイルパイプが用いられ、挿入部が屈曲した時にガイド管が挿入部内で引き攣れた状態にならないよう、ガイド管は、挿入部が真っ直ぐな状態のときに挿入部内において少し波打った状態になる程度に、操作部側から挿入部内に数ミリメートルだけ押し込まれた状態に組み立てられている。
【０００４】
したがって、ガイド管の基端は操作部内において厳密に位置決めして固定する必要があり、従来は、ガイド管の基端にロー付けや半田付け等により取り付けられた基端口金を、操作部に固定的に設けられた受け部材に側方から嵌め込んで、基端口金を軸線方向に移動しないように操作部に係止させていた（例えば、特許文献１）。
【特許文献１】特公平４−４５１７７
【発明の開示】
【発明が解決しようとする課題】
【０００５】
上述のように、ガイド管の基端は操作部内において厳密に位置決めする必要があるので、一度組み付けた後に再調整する必要が生じることがしばしばある。
すると、上述のような従来の内視鏡の処置具起上装置においては、ガイド管の基端部分に対する基端口金の位置を微動させた状態にロー付けや半田付けをやり直す必要があるため、調整作業が面倒で手間がかかり非常に作業性が悪かった。
【０００６】
そこで本発明は、処置具起上片を遠隔操作するための起上片操作ワイヤが挿通されたガイド管の基端位置を、操作部に対して容易に調整及び再調整して組み付けることができる作業性のよい内視鏡の処置具起上装置を提供することを目的とする。
【課題を解決するための手段】
【０００７】
上記の目的を達成するため、本発明の内視鏡の処置具起上装置は、挿入部の先端に配置された処置具起上片を挿入部の基端に連結された操作部から遠隔操作するための起上片操作ワイヤが、挿入部内に全長にわたって挿通配置されたガイド管内に軸線方向に進退自在に挿通された内視鏡の処置具起上装置において、ガイド管の基端部分に固着したストッパ筒体の外周面に、操作部に固定的に配置されたストッパ座に対して係脱させることができる複数の周方向溝を軸線方向に互いの間隔をあけて形成し、ストッパ座に対して係合させる周方向溝を選択することにより、操作部に対するガイド管の基端部の固定位置を調整することができるようにしたものである。
【０００８】
なお、ストッパ筒体の周方向溝に係脱するストッパ座側の係合部分が略Ｕ字状のフォーク状に形成されていて、その開放部側からストッパ筒体の周方向溝を係脱させることができるようにしてもよく、周方向溝がストッパ筒体の全周にわたって形成されていると取り扱いが容易である。
【発明の効果】
【０００９】
本発明によれば、処置具起上片を遠隔操作するための起上片操作ワイヤが挿通されたガイド管の基端部分にストッパ筒体を固着して、そのストッパ筒体の外周面に周方向溝を形成し、ストッパ座に対して係合させる周方向溝を選択することにより、操作部に対するガイド管の基端部の固定位置を容易に調整及び再調整して組み付けることができる。
【発明を実施するための最良の形態】
【００１０】
ガイド管の基端部分に固着したストッパ筒体の外周面に、操作部に固定的に配置されたストッパ座に対して係脱させることができる複数の周方向溝を軸線方向に互いの間隔をあけて形成し、ストッパ座に対して係合させる周方向溝を選択することにより、操作部に対するガイド管の基端部の固定位置を調整することができるようにする。
【実施例】
【００１１】
図面を参照して本発明の実施例を説明する。
図３は内視鏡を示しており、可撓管によって外装された可撓性の挿入部１の先端付近には、多数の節輪をリベットで傾動自在に連結した骨組み構成の湾曲部１ａが形成されている。
【００１２】
湾曲部１ａの先端部分（即ち、挿入部１の最先端部分）には、観察窓や照明窓が配置された先端部本体２が連結されていて、先端部本体２から外方に突出される処置具１００の先端部分１００ａの突出方向を変えるための処置具起上片３が、先端部本体２に可動に配置されている。なお、処置具１００は、挿入部１内に全長にわたって挿通配置されている処置具挿通チャンネル（図示せず）内に挿脱される。
【００１３】
挿入部１の基端に連結された操作部４には、湾曲部１ａを遠隔的に屈曲操作するための湾曲操作ノブ５が配置されていて、湾曲操作ノブ５を操作することにより湾曲部１ａを任意の方向に任意の角度だけ屈曲させることができる。
【００１４】
また、図３に矢印で示されるように、操作部４に配置された起上片操作レバー６を回動操作すると、それによって起上片操作ワイヤ７が軸線方向に進退操作されて処置具起上片３が駆動され、先端部本体２からの処置具１００の先端部分１００ａの突出方向を任意に変えることができる。
【００１５】
起上片操作ワイヤ７は、挿入部１内に全長にわたって挿通配置された密着巻きコイルパイプからなるガイドコイル８（ガイド管）内に軸線方向に進退自在に挿通配置されており、ガイドコイル８は、先端が先端部本体２に固定されて基端が操作部４に固定され、挿入部１が真っ直ぐの状態のとき挿入部１内で少し波打った状態になる程度に、操作部４側から押し込まれた状態に組み込まれている。
【００１６】
図４は、内視鏡の処置具起上装置の操作部４内における構成を示しており、１０は、起上片操作レバー６と起上片操作ワイヤ７とを連結するピストン状部材、１１はピストン状部材１０が嵌挿されたシリンダ状部材であり、２０は、ガイドコイル８の基端部分を操作部４のフレーム４ａに対して調整可能に位置決め固定するガイド管固定部である。
【００１７】
図１は、そのようなガイド管固定部２０を示しており、２１は、操作部４のフレーム４ａに対してビス止め固定されているストッパ座、２２は、ストッパ座２１に対して係脱させることができるようにガイドコイル８の基端部に固着された円筒状のストッパ筒体である。
【００１８】
ストッパ筒体２２は、ガイドコイル８の基端部にガイドコイル８と軸線位置を一致させて固着されていて、その軸線位置に形成されている貫通孔内に起上片操作ワイヤ７が緩く挿通されている。
【００１９】
そして、ストッパ筒体２２の外周面には複数（この実施例では四つ）の周方向溝２２ａが、軸線方向に互いの間隔をあけて形成されている。なお、周方向溝２２ａは各々が全周にわたって形成されているので、ガイドコイル８に対するストッパ筒体２２の固着方向を気にする必要がなく、製造時の取り扱いが容易である。
【００２０】
ストッパ座２１には、図１におけるＶ−Ｖ断面を図示する図５にも示されるように、ストッパ筒体２２の周方向溝２２ａに係脱する係合部分２１ａが略Ｕ字状のフォーク状に形成されていて、その開放部側からストッパ筒体２２の周方向溝２２ａを係脱させることができ、ストッパ筒体２２の周方向溝２２ａがストッパ座２１の係合部分２１ａに係合した状態では、ストッパ筒体２２が軸線方向に移動できない状態になって、ガイドコイル８の基端部分が操作部４のフレーム４ａに固定された状態になる。
【００２１】
そして、ストッパ座２１に対してストッパ筒体２２を係合部分２１ａの開放部側から係脱させて、例えば図２に示されるように、ストッパ座２１の係合部分２１ａに対して係合するストッパ筒体２２側の周方向溝２２ａを選択することにより、操作部４に対するガイドコイル８の基端部分の固定位置（即ち、挿入部１内へのガイドコイル８の押し込み量）を容易に調整及び再調整することができる。
【００２２】
なお、本発明は上記実施例に限定されるものではなく、例えばストッパ座２１及びストッパ筒体２２の具体的な形状等は実情に合わせて適宜変更すればよい。
【図面の簡単な説明】
【００２３】
【図１】本発明の実施例の内視鏡の処置具起上装置のガイド管固定部の正面断面図である。
【図２】本発明の実施例の内視鏡の処置具起上装置のガイド管固定部における固定位置を調整する状態の正面断面図である。
【図３】本発明の実施例の内視鏡の全体構成を示す側面図である。
【図４】本発明の実施例の内視鏡の処置具起上装置の操作部内における構成を示す略示断面図である。
【図５】本発明の実施例の内視鏡の処置具起上装置の図１におけるＶ−Ｖ断面図である。
【符号の説明】
【００２４】
１  挿入部
３  処置具起上片
４  操作部
６  起上片操作レバー
７  起上片操作ワイヤ
８  ガイドコイル（ガイド管）
２０  ガイド管固定部
２１  ストッパ座
２１ａ  係合部分
２２  ストッパ筒体
２２ａ  周方向溝
【図１】
2006020884.tif 000003
【図２】
2006020884.tif 000004
【図３】
2006020884.tif 000005
【図４】
2006020884.tif 000006
【図５】
2006020884.tif 000007